(57)【特許請求の範囲】
【請求項１】
容器の口筒部に取着され、キャップ本体と上蓋からなるヒンジキャップにおいて、
キャップ本体は、注出筒と、容器口筒部に嵌着される係合筒部とを備え、
係合筒部の上部には、上部外周に膨出部を設けた蓋係合部が突設されており、
上蓋は、頂壁と内筒と外筒壁とを備え、
外筒壁下端内周には、キャップ本体の蓋係合部の上面と外周に係合する係合部が設けられ、
係合部の上内面内側端部には、下端が蓋係合部の上面に係合する係合変形筒が垂設され、
係合部の側内面下方には蓋係合部の膨出部の下方周面と係合する係合突部が設けられ、
ヒンジキャップの打栓時に、上方から押圧することで、上蓋をキャップ本体に対して下降させるとともに、上蓋の係合変形筒を僅かに変形させ、ヒンジキャップ内から外部への空気の流通路を形成し、流通路から空気を容器外に排出し、
ヒンジキャップの打栓終了時に、上蓋の係合変形筒の復元力で、上蓋をキャップ本体に対して上昇させることで、ヒンジキャップ内から外部への空気の流通路が閉鎖され、ヒンジキャップ内が僅かに負圧になるようにしたことを特徴とするヒンジキャップ。
【請求項２】
上蓋の係合変形筒の下端、または、蓋係合部上面に空気溝を凹設し、空気の流通路を形成していることを特徴とする請求項１記載のヒンジキャップ。  
【請求項３】
係合部の側内面に、蓋係合部の膨出部の外周最突部と摺動する係合リブが設けられていることを特徴とする請求項１または２記載のヒンジキャップ。
【請求項４】
注出筒の内周にリブが突設され、打栓時に注出筒と上蓋頂壁に垂設された内筒との間に、空気の流通路を形成するようにしたことを特徴とする請求項１〜３記載のヒンジキャップ。
【請求項５】
キャップ本体の注出筒の内周の所定の位置に凹条を設け、
上蓋の内筒の下端外周にキャップ本体の注出筒の内周面に係合する突条を設け、
ヒンジキャップの打栓時に、注出筒の凹条と、内筒の突条が係合して間隙を形成し、ヒンジキャップ内で空気の流通路となることを特徴とする請求項１〜４記載のヒンジキャップ。
【発明の詳細な説明】
【技術分野】
【０００１】
本発明は、ヒンジキャップ、とくに容器内に充填した加熱殺菌された内容液によりキャップの上蓋内の空気が加熱され、内圧が上昇してキャップの上蓋が開蓋することを防止するキャップに関するものである。
【背景技術】
【０００２】
殺菌のため加熱された内容液を充填するヒンジキャップにおいて、内容液充填後、ヒンジキャップを打栓した後、容器内部を殺菌し、次いで容器外部より温水シャワーで洗浄、冷却することは従来より行われている。
【０００３】
また、キャップ打栓後に、内容液の熱によりキャップ内の空気の内圧が上昇するためキャップの上蓋が開蓋することを防止するために、キャップ内の内圧が上昇すると、上蓋とキャップ本体の間に空気の流通路を形成し、キャップ内の空気を容器外に逃がし、キャップの上蓋内の内圧上昇を防止するようにしたキャップも従来より知られている（例えば、特許文献１参照）。  
【特許文献１】特開２０００−２７２６４８号公報
【発明の開示】
【発明が解決しようとする課題】
【０００４】
しかしながら、上記特許文献１記載のヒンジキャップでは、キャップ内の空気圧により空気の流通路を形成、または閉鎖しているので、キャップ内の空気圧が高く、空気の流通路が形成されているときに、容器外から温水シャワーで冷却すると、キャップ内の空気圧が低下し、空気の流通路が閉鎖される前に空気と一緒に温水までキャップ内に吸い込むという問題があった。
【０００５】
また、加熱により、キャップ内の空気圧が急激に上昇した場合、空気圧が上蓋（２０）の側壁部（２２）を押圧して外方に変形させることで、側壁部（２２）と中蓋（２）の係合凹部（９）との係合が外れ、上蓋（２０）が開蓋することもあった。
【０００６】
本発明は、上記問題を解決することを課題とし、加熱によるキャップ内の空気の圧力上昇を抑制し、ヒンジキャップの上蓋が圧力上昇により開蓋することがなく、また、温水シャワー時に温水がキャップ内に侵入することを防止できるヒンジキャップを提供することを目的とする。
【課題を解決するための手段】
【０００７】
本発明は、上記の課題を解決するため、ヒンジキャップとして、容器の口筒部に取着され、キャップ本体と上蓋からなるヒンジキャップにおいて、キャップ本体は、注出筒と、容器口筒部に嵌着される係合筒部とを備え、係合筒部の上部には、上部外周に膨出部を設けた蓋係合部が突設されており、上蓋は、頂壁と内筒と外筒壁とを備え、外筒壁下端内周には、キャップ本体の蓋係合部の上面と外周に係合する係合部が設けられ、係合部の上内面内側端部には、下端が蓋係合部の上面に係合する係合変形筒が垂設され、係合部の側内面下方には蓋係合部の膨出部の下方周面と係合する係合突部が設けられ、ヒンジキャップの打栓時に、上方から押圧することで、上蓋をキャップ本体に対して下降させるとともに、上蓋の係合変形筒を僅かに変形させ、ヒンジキャップ内から外部への空気の流通路を形成し、流通路から空気を容器外に排出し、ヒンジキャップの打栓終了時に、上蓋の係合変形筒の復元力で、上蓋をキャップ本体に対して上昇させることで、ヒンジキャップ内から外部への空気の流通路が閉鎖され、ヒンジキャップ内が僅かに負圧になるようにしたことを特徴とする構成を採用する。
【０００８】
空気流通路の実施例として、上蓋の係合変形筒の下端、または、蓋係合部上面に空気溝を凹設し、空気の流通路を形成していることを特徴とする構成、または、係合部の側内面に、蓋係合部の膨出部の外周最突部と摺動する係合リブが設けられていることを特徴とする構成を採用する。
【０００９】
注出筒の一実施例として、注出筒の内周にリブが突設され、打栓時に注出筒と上蓋頂壁に垂設された内筒との間に、空気の流通路を形成するようにしたことを特徴とする構成、または、キャップ本体の注出筒の内周の所定の位置に凹条を設け、上蓋の内筒の下端外周にキャップ本体の注出筒の内周面に係合する突条を設け、ヒンジキャップの打栓時に、注出筒の凹条と、内筒の突条が係合して間隙を形成し、ヒンジキャップ内で空気の流通路となることを特徴とする構成を採用する。
【発明の効果】
【００１０】
キャップ本体の係合筒部の上部外周に膨出部を設けるとともに、上蓋の外筒壁下端内周に設けた係合部の上内面に下端が蓋係合部の上面に係合する係合変形筒を垂設し、側内面下方には蓋係合部の膨出部の下方周面と係合する係合突部が設けられているので、加熱された内容液を充填した容器本体の口筒部にヒンジキャップを打栓する時に、上蓋が上方からキャップ本体に対して押圧され下降することで、空気の流通路を形成してキャップ内の空気を容器外に排出する。
【００１１】
打栓終了時に上蓋がキャップ本体に対して元の形状に復元するので、空気の流通路を速やかに閉鎖し、キャップ内の空気圧を僅かに負圧に保つことで、加熱によりキャップ内の空気が圧力上昇しても、上蓋が開蓋するまでの圧力上昇が行われず、上蓋が開蓋することを防止できる。
【発明を実施するための最良の形態】
【００１２】
次に、本発明のヒンジキャップの実施形態について、図面を参照して説明する。
図１において、Ａは容器本体に打栓されるキャップ本体、Ｂはキャップ本体ＡにヒンジＣを介して一体成形された上蓋である。
容器本体の口筒部１外周には、係合突条２が設けられている。
【００１３】
図１、２に示すように、キャップ本体Ａは、底壁５と、底壁５の周縁に連設される注出筒６と、注出筒６の下端外周よりリング状底壁７を介して連設される係合筒部８と、係合筒部８外周に一定の間隔を持って連設され、上端外周にヒンジＣを連設する外周筒部９とからなっている。
【００１４】
底壁５には、注出口１０を開口する薄肉の弱化部１１が設けられており、底壁５の上面には、弱化部１１の区画内に、注出口１０の開口時に引上げるプルリング１２が設けられている。
注出筒６内周の底壁５上面側には、所定の位置にリブ１３が配設されている。
【００１５】
係合筒部８は、リング状の上壁１５と、上壁１５の内周縁に垂設され、内周にリング状底壁７外周縁と接続する内筒１６と、上壁１５の外周縁に垂設された外筒１７と、上壁１５の上部に立設され、上蓋Ｂと係合する蓋係合部１８とからなっている。
外筒１７の内周には、容器本体の口筒部１の係合突条２と係合する係合突条１９が設けられており、係合筒部８は、打栓時に、内筒１６外周と外筒１７内周により、容器本体の口筒部１を挟持することで、キャップ本体Ａを容器本体の口筒部１に装着される。
【００１６】
外筒１７の下端外周と外周筒部９の下端内周は、外周筒部９のヒンジＣとの反対側の位置に設けられた連結片２０と、間隔をおいて複数配設された破断可能な弱化片２１とを介して連設されている。
【００１７】
蓋係合部１８の上面には、係合面１８ａが形成されており、蓋係合部１８の外周には、外筒１７外周より縮径された縮径部２５と、その上端部に縮径部２５より拡径された膨出部２６とが形成されており、膨出部２６の最突部の下方周面は係合面２６ａとなっている。
【００１８】
上蓋Ｂは、図１に示すように、頂壁３０と、頂壁３０の周縁に垂設される外筒壁３１とからなり、頂壁３０下面には、キャップ本体Ａの注出筒６の内周に挿入される内筒３２が垂設されている。
外筒壁３１には、内周下端に、拡径され、キャップ本体Ａの係合筒部８の蓋係合部１８と係合する係合部３３が設けられており、外周下端の所定の位置にヒンジＣが連設されている。
【００１９】
係合部３３は、上内面３３ａと、蓋係合部１８の外周と係合する側内面３３ｂとから形成されている。
上内面３３ａ内周側には、閉蓋時に下端がキャップ本体Ａの蓋係合部１８の係合面１８ａに当接する係合変形筒３５が垂設されており、係合変形筒３５の下端には、空気溝３６が配設されている。
また、空気溝３６は、係合変形筒３５の下端に対応する蓋係合部１８の係合面１８に突設するようにしてもよい。
【００２０】
側内面３３ｂの下端には、キャップ本体Ａの蓋係合部１８の膨出部２６と係合する係合突部３７が突設され、係合突部３７の最突部の上方周面がキャップ本体Ａの蓋係合部１８の膨出部２６の係合面２６ａに当接する係合面３７ａとなっている。
側内面３３ｂの係合突部３７より上部には、内周面に膨出部２６の最突部が係合し、摺動する係合リブ３８が間隔をおいて複数配設されている。  
【００２１】
次に、本実施例のヒンジキャップの作用効果について説明する。
ヒンジキャップは、上蓋Ｂをキャップ本体Ａに対して閉蓋することにより、図１に示すように、係合した容器本体Ａの注出筒６と上蓋Ｂの内筒３２より外側に空気室ａ、内側に空気室ｂが形成される。
容器本体に加熱された内容液を充填し、容器本体の口筒部１に、閉蓋したヒンジキャップを上方からに打栓する。
【００２２】
打栓前のヒンジキャップ内は、図１（ｂ）に示すように、上蓋Ｂの外筒壁３１の係合部３３の係合突部３７の係合面３７ａと、キャップ本体Ａの係合筒部８の蓋係合部１８の膨出部２６の係合面２６ａとの係合により、空気室ａ内とヒンジキャップ外との空気の流通路が封鎖されている。
【００２３】
打栓時には、図３に示すように、ヒンジキャップの上蓋Ｂの上部より強い押圧力がかかり、上蓋Ｂがキャップ本体Ａに対して押圧され、下降する。
上蓋Ｂが下降することで、図３（ｂ）に示すように、上蓋Ｂの係合部３３の係合変形筒３５下端がキャップ本体Ａの蓋係合部１８の係合面１８ａに押し付けられ、係合変形筒３５下端が内方に変形させるとともに、上蓋Ｂの係合突部３７の係合面３７ａと、キャップ本体Ａの蓋係合部１８の膨出部２６の係合面２６ａとの係合が外れ、間隙をつくる。
【００２４】
また、上蓋Ｂの内筒３２外周がキャップ本体Ａの注出筒６内周に摺動しながら下降することで、内筒３２下端が注出筒６のリブ１３に乗り上げ、変形し、内筒３２と注出筒６との間に僅かな間隔をつくる。
【００２５】
上蓋Ｂが下降することによりヒンジキャップ内の空気が押圧され、空気室ｂ内の押圧された空気は、上蓋Ｂの内筒３２とキャップ本体Ａの注出筒６との間の間隙から空気室ａ内に流出する。
【００２６】
さらに、空気室ａ内の押圧された空気は、上蓋Ｂの係合部３３の係合変形筒３５下面とキャップ本体Ａの蓋係合部１８の係合面１８ａとの係合部より、係合変形筒３５に配設した空気溝３６を流通路として、上蓋Ｂの係合部３３の係合リブ３８同士の間、係合部３３の係合面３７ａと蓋係合部１８の係合面２６ａとの間隙を通り、キャップ本体Ａの係合筒部８と外周筒部９と弱化片２１同士の間を通り、容器外に排出される。
【００２７】
打栓後には、上蓋Ｂに対しての押圧力が外され、上蓋Ｂの係合部３３の係合変形筒３５の復元力により、係合部３３は、キャップ本体Ａの蓋係合部１８の係合面１８ａから離れて上昇し、また、上蓋Ｂの内筒３２はその復元力により、内筒３２下端はキャップ本体Ａの注出筒６のリブ１３上端に戻るので、上蓋Ｂはキャップ本体Ａに対して上昇し、ヒンジキャップが元の状態に復元する。
【００２８】
そのことによって、再び、図１（ｂ）に示すように、上蓋Ｂの内筒３２外周がキャップ本体Ａの注出筒６内周に係合し、空気室ｂ内と空気室ａ内との間の流通路が閉鎖されるとともに、上蓋Ｂの係合部３３の係合突部３７の係合面３７ａと、キャップ本体Ａの蓋係合部１８の膨出部２６の係合面２６ａとの係合により、空気室ａ内とヒンジキャップ外との空気の流通路が封鎖される。
【００２９】
本発明のヒンジキャップは、打栓時に上蓋Ｂがキャップ本体Ａに対して下降することで、空気の流通路を形成してヒンジキャップ内の空気を排出し、打栓終了とともに空気の流通路を速やかに閉鎖するため、ヒンジキャップ内は僅かに負圧となる。
【００３０】
容器内の加熱された内容液、または、温水シャワーにより、ヒンジキャップ内の空気が加熱されても、キャップ内がもともと負圧となっているため、ヒンジキャップ内の内圧上昇を低く抑えることができる。
このため、従来のようにヒンジキャップ内の内圧が上昇したとしても、内圧上昇のためヒンジキャップの上蓋Ｂがキャップ本体Ａに対して開蓋するということを防止することができる。
【００３１】
また、本発明のヒンジキャップは、ヒンジキャップ内の内圧上昇により上蓋Ｂがキャップ本体Ａに対して開蓋することを防止することができるが、打栓時のヒンジキャップ内の負圧は僅かであるため、消費者が必要に応じて開蓋する際には開蓋操作の障害にはならない。
【００３２】
本発明のヒンジキャップは、消費者が内容物を全て使用し、容器を廃棄する際は、まず、上蓋Ｂを開蓋し、上蓋Ｂを引張り上げることにより、ヒンジＣを介してキャップ本体Ａの外周筒部９を上昇させ、外周筒部９と係合筒部８との間の弱化片２１を切断する。
次に、外周筒部９と係合筒部８との間の連結片２０を支点として、外周筒部９のヒンジＣ側が上昇し、さらに上蓋Ｂを引張ることで、外周筒部９の連結片２０側も上昇させようとする。
【００３３】
最後は、連結片２０を介して係合筒部８の外筒１７の連設部側のみが引張られることで、係合筒部８の外筒１７が変形し、キャップ本体Ａと容器本体の口筒部１との係合を外して、簡単にヒンジキャップを容器本体から外して、分別廃棄することができる。
【００３４】
上記実施形態では、キャップ本体Ａの注出筒６内周にリブ１３を配設し、打栓時に、注出筒６と上蓋Ｂの内筒３２との間に僅かな間隙を形成させ、ヒンジキャップ内の空気室ｂ内の空気を、空気室ａ内に排出させているが、図４（ａ）に示すように、キャップ本体Ａの注出筒６内周の所定の箇所に凹条４０を設け、上蓋Ｂの内筒３２の下端外周に突条４１とを設けてもよい。
【００３５】
この場合、キャップの打栓前には、図４（ａ）に示すように、上蓋Ｂの内筒３２の突条４１がキャップ本体Ａの注出筒６内周面に係合し、空気室ａと空気室ｂとの間を封鎖するが、キャップの打栓時には、上蓋Ｂがキャップ本体Ａに対して下降することにより、図４（ｂ）に示すように、突条４１が注出筒６の凹条４０の位置まで下降し、突条４１と凹条４０との間に間隙を形成し、その間隙が空気室ａと空気室ｂとの間の空気の流通路となり、空気室ｂ内の空気を空気室ａ内に排出させることができる。
また、凹条４０と突条４１は、打栓時に係合して空気の流通路となればよいので、全周に設けても、断続的な部分として設けてもよい。
【００３６】
前記実施形態では、係合筒部８の外筒１７の外側に外周筒部９を設けたが、本発明のヒンジキャップは、打栓時に上蓋内の空気を排出できればよいので、外周筒部９はなくてもよい。
【産業上の利用可能性】
【００３７】
本発明は、ヒンジキャップにおいて、ヒンジキャップの容器へ打栓することで容器内の内容液、または、温水シャワーによりヒンジキャップ内の空気が加熱され、ヒンジキャップの上蓋が開蓋することを防止でき、各種の加熱充填する内容液の容器のヒンジキャップとして広く利用することができる。
【図面の簡単な説明】
【００３８】
【図１】本発明ヒンジキャップの説明図で、（ａ）は断面立面図、（ｂ）は要部拡大図である。
【図２】ヒンジキャップの下面図である。
【図３】ヒンジキャップの打栓時の説明図で、（ａ）は断面立面図、（ｂ）は要部拡大図である。
【図４】本発明ヒンジキャップの変形実施形態を示す説明図で、（ａ）は打栓前、（ｂ）は打栓時の要部拡大図である。
【符号の説明】
【００３９】
Ａ        キャップ本体
Ｂ        上蓋
Ｃ        ヒンジ
ａ、ｂ    空気室
１        口筒部
２、１９  係合突条
５        底壁
６        注出筒
７        リング状底壁
８        係合筒部
９        外周筒部
１０      注出口
１１      弱化部
１２      プルリング
１３      リブ
１５      上壁
１６、３２  内筒
１７      外筒
１８      蓋係合部
１８ａ    上面
２０      連結片
２１      弱化片
２５      縮径部
２６      膨出部
２６ａ、３７ａ  係合面
３０      頂壁
３１      外筒壁
３３      係合部
３３ａ    上内面
３３ｂ    側内面
３５      係合変形筒
３６      空気溝
３７      係合突部
３８      係合リブ
４０      凹条
４１      突条
【図１】
0004657875.tif 000002
【図２】
0004657875.tif 000003
【図３】
0004657875.tif 000004
【図４】
0004657875.tif 000005